(57)【特許請求の範囲】
【請求項１】
ドア枠または壁面に設置されてドアの開放または閉鎖状態を検知できるように磁力を発生するマグネットと、
ドアの室内機側の設置溝に設置され、ドアの開放状態時に、前記マグネットから発生する磁力を検知することができないが、前記ドアの閉鎖状態時には前記マグネットから発生する磁力を検知することで前記ドアの開閉状態を感知する信号を出力するマグネットセンサと、
前記マグネットセンサと折畳部に結合され、前記ドアの側面から室内機側の中心ラインまでのバックセット距離が短い場合に前記折畳部を中心に折り畳み回転し、前記室内機の設置溝に引入される装着部と、
前記ドアの側面から室内機側の中心ラインまでのバックセット距離が長い場合に前記装着部に結合され、ドアの側面から室内機側の中心ラインまでのバックセット距離が短い場合には前記装着部から分離されるケースと、
を含んで構成されることを特徴とするドアの開閉状態検知装置。
【請求項２】
前記マグネットセンサの一面には、前記マグネットセンサが前記マグネットに近接するように前記室内機側の設置溝に設置された場合、その近接設置状態を固定するための接着部を形成することを特徴とする請求項１に記載のドアの開閉状態検知装置。
【請求項３】
前記装着部には、一面に対称となる一対のガイド突起を形成し、前記ケースには前記ガイド突起が安着されるガイド溝を形成することを特徴とする請求項１に記載のドアの開閉状態検知装置。
【請求項４】
前記ケースの一側端には、対称となる一対の係止突起を形成し、前記マグネットセンサには前記係止突起が係止される係止溝を形成することを特徴とする請求項１に記載のドアの開閉状態検知装置。
【請求項５】
前記マグネットセンサには、電気的接続端子を形成し、前記設置溝の内部には、前記接続端子と電気的接続されるコネクタを形成することを特徴とする請求項１に記載のドアの開閉状態検知装置。
【発明の詳細な説明】
【技術分野】
【０００１】
本発明は、ドアの開閉状態を検知する技術に関し、特に、ドアの内外側にそれぞれ対向するように設置された室内機と室外機を含むデジタルドアロックにおいて、ドアの側面から室内機側の中心ラインまでのバックセット（Ｂａｃｋ  Ｓｅｔ）距離に応じてドアロックのドア閉鎖センサの設置位置が変更できるようにするドアの開閉状態検知装置に関する。
【背景技術】
【０００２】
通常のデジタルドアロックは、ドア側にラッチボルトとデッドボルトを含む箱錠を内蔵しており、ドアの内外部面において前記箱錠のラッチボルト及びデッドボルトの動作を内外側からそれぞれ制御できるように取っ手が結合される、室内機と室外機とを設置構成する主キー、そしてドアの内部面に設置される箱錠を含む補助キーとで区分される。
【０００３】
この場合、従来では、デジタルドアロックやドア側にドア開放が強制的に開放されることを防止することができるように、箱錠を保護する多様な安全装置が設けられるが、このような安全装置は箱錠の強制解錠 によるドアの強制開放が行われないようにするためのものである。
【０００４】
しかし、上記のような安全装置は、単にドアの強制開放を防止するに限られており、強制開放された場合にこれを検知する機能は提供されない。
すなわち、ドアの強制開放を防止するための安全装置をいかに堅固に設置しても、その安全装置は先端化された装備の種類によって解除されるため、これはドアの強制開放を所定時間遅延させるだけの効果に過ぎない。
【０００５】
よって、上記のようにドアの強制開放を防止する機能に加え、さらにドアの閉鎖または開放状態を検知し、これを知らせることができれば、保安機能としてより安全性を提供することができ、本出願人は、このような効果を期待できる大韓民国実用新案登録公報第２０−０４６５８３１号（公告日２０１３年３月１２日）を提案しており、本発明はこのような先行技術を補完するためのものである。
【０００６】
すなわち、先行技術は、室内機に設置溝を形成した後、その設置溝に棒状のマグネットセンサを設けたものである。
【０００７】
しかしながら、バックセット距離があまり短すぎる場合には、マグネットセンサがドアに設置された開閉状態検知部のマグネットとあまり近すぎてドアが開放状態でありながら閉鎖された状態として認知する誤認の問題点が発見されている。本発明は、バックセット距離とは関係なく設置可能でありながら検知誤認を改善しており、本願出願人が出願した上記実用新案登録公報の短所をさらに補完するものである。
【０００８】
さらに、従来では、添付の図１乃至図３のように、室内機１側に共通の深さを有する設置溝１ａを形成した状態において、ドア２の側面から室内機１側の中心ラインまで互いに異なるバックセット距離（図１のｄ１、図２のｄ２、図３のｄ３、ｄ１＞ｄ２＞ｄ３）が存在した場合、互いに異なる大きさに製造されたセンサ（図１の３ａ、図２の３ｂ、図３の３ｃ）を装着しなければならず、このように互いに異なる大きさに製造されたセンサ（３ａ、３ｂ、３ｃ）の場合には相互間の互換ができないため、センサの大きさによる金型製造による経済的損失の発生を防止できなかった。
【先行技術文献】
【特許文献】
【０００９】
【特許文献１】大韓民国実用新案登録公報第２０−０４６５８３１号
【発明の概要】
【発明が解決しようとする課題】
【００１０】
したがって、本発明は、室内機に共通の深さを有する設置溝を加工しておいた状態で、ドアの側面から室内機側の中心ラインまでのバックセット（Ｂａｃｋ  Ｓｅｔ）距離に応じてドアロックの開閉状態を検知するセンサの長さをケースの分離可否によって可変されるように構成することで、ドアの側面から室内機側の中心ラインまで互いに異なるバックセット（Ｂａｃｋ  Ｓｅｔ）距離が存在した場合にも、そのバックセット距離とは関係なくセンサがドアの開放または閉鎖状態を問題なく検知することができると共に、バックセット距離に合わせてセンサを多様な大きさに製造しなければならないという経済的負担を軽減することができるように、ドアの開閉状態検知装置を提供することにその目的がある。
【課題を解決するための手段】
【００１１】
本発明のドアの開閉状態検知装置は、第１部材と近接する位置に設置されてドアの開放または閉鎖状態を検知するセンサ部と、前記センサ部と折畳部とに結合され、ドアの側面から室内機側の中心ラインまでのバックセット距離が短い場合に前記折畳部を中心に折り畳み回転し、前記室内機の設置溝に引入される装着部と、ドアの側面から室内機側の中心ラインまでのバックセット距離が長い場合に前記装着部に結合され、ドアの側面から室内機側の中心ラインまでのバックセット距離が短い場合には前記装着部から分離されるケースとを含んで構成される。
【００１２】
また、前記センサ部の一面には、前記センサ部が第１部材に近接設置された場合に、その近接設置状態を固定するための接着部を形成する。
【００１３】
また、前記装着部には一面に対称となる一対のガイド突起を形成し、前記ケースには前記ガイド突起が安着されるガイド溝を形成する。
【００１４】
また、前記ケースの一側端には、対称となる一対の係止突起を形成し、前記センサ部には前記係止突起が係止される係止溝を形成する。
【００１５】
また、前記第１部材はマグネットであり、前記センサ部には、前記センサ部に電気的に接続される接続端子を形成し、前記設置溝の内部には、前記接続端子と接続されるコネクタを形成する。
【発明の効果】
【００１６】
本発明は、室内機側に共通の深さを有する設置溝を加工した状態で、ドアの側面から室内機側の中心ラインまでのバックセット（Ｂａｃｋ  Ｓｅｔ）距離に応じてドアロックの開閉状態を検知するセンサの長さをケースの分離可否によって可変できるように構成するものであって、これにより、ドアの側面から室内機側の中心ラインまで互いに異なるバックセット（Ｂａｃｋ  Ｓｅｔ）距離が存在した場合にも、このようなバックセット距離と関係なく、センサがドアの開放または閉鎖状態を問題なく検知し、バックセット距離に応じてセンサを互いに異なる大きさに製造しなければならないという経済的負担を軽減する効果を期待することができる。
【図面の簡単な説明】
【００１７】
【図１】従来ドアの側面から離隔されるバックセット距離（ｄ１）に室内機を設置した場合のセンサ設置状態図である。
【図２】従来ドアの側面から離隔されるバックセット距離（ｄ２）に室内機を設置した場合のセンサ設置状態図である。
【図３】従来ドアの側面に近接されるバックセット距離（ｄ３）に室内機を設置した場合のセンサ設置状態図である。
【図４】本発明の実施形態に係るセンサ部とケースとの結合構造を示す斜視図である。
【図５】本発明の実施形態に係るセンサ部とケースとの分離構造を示す斜視図である。
【図６】本発明の実施形態に係るセンサ部から装着部の折り畳み回転状態を示す斜視図である。
【図７】本発明の実施形態に係るドアの側面から離隔されるバックセット距離（ｄ１１）に室内機を設置した場合のセンサ部の設置状態図である。
【図８】本発明の実施形態に係るドアの側面に近接されるバックセット距離（ｄ１２）に室内機を設置した場合のセンサ部の設置状態図である。
【発明を実施するための形態】
【００１８】
以下、添付図面を参照しながら本発明の実施形態を詳細に説明する。
【００１９】
図４は、本発明の実施形態に係るセンサ部とケースの結合構造を示す斜視図であり、図５は、本発明の実施形態に係るセンサ部とケースの分離構造を示す斜視図であり、図６は、本発明の実施形態に係るセンサ部から装着部の折り畳み回転状態を示す斜視図である。
【００２０】
図７は、本発明の実施形態に係るドアの側面から離隔されるバックセット距離（ｄ１１）に室内機を設置した場合のセンサ部の設置状態図であり、図８は、本発明の実施形態に係るドアの側面に近接されるバックセット距離（ｄ１２）に室内機を設置した場合のセンサ部の設置状態図である。
【００２１】
添付の図４乃至図８を参照すると、本発明の実施形態に係るドアの開閉状態検知装置は、設置溝３０１が形成される前記室内機３００とドア１００のドア枠２００に適用されるもので、これに、マグネットからなる第１部材１０とマグネットセンサからなるセンサ部材２０とが含まれる。
【００２２】
前記第１部材１０は、前記ドア１００の開閉状態検知のために、前記ドア１００のドア枠２００または壁面に設けられるマグネットである。
【００２３】
前記センサ部材２０は、ドア１００の側面から前記室内機３００側の中心ラインまでのバックセット距離（ｄ１１、ｄ１２、ｄ１１＞ｄ１２）に応じて設置長さが可変されながら、前記第１部材１０と近接されるように前記室内機３００の設置溝３０１に設置された状態で、ドア１００の開放または閉鎖状態を検知する信号を出力するもので、センサ部２１、装着部２２、ケース２３、そして接着部２４を含んで構成される。
【００２４】
前記センサ部２１はマグネットセンサであって、マグネットである前記第１部材１０と近接する位置に設置されてドア１００の開放または閉鎖状態を検知する信号が出力されるように構成される。
【００２５】
すなわち、ドア１００の開放状態時に、前記センサ部２１は前記第１部材１０から発生する磁力を検知することができないが、前記ドア１００の閉鎖状態時には前記第１部材１０から発生する磁力を検知することができる。
【００２６】
前記装着部２２は、ドア１００の側面から室内機３００側の中心ラインまでのバックセット距離（ｄ１２）が短い場合に、前記センサ部２１が前記第１部材１０を検知してドア１００のドア開放状態を検知するように折畳部ｈ１を中心に折り畳み回転して前記設置溝３０１に引入されるように構成される。
【００２７】
前記ケース２３は、ドア１００の側面から室内機３００側の中心ラインまでのバックセット距離（ｄ１１）が長い場合に前記装着部２２に結合され、ドア１００の側面から室内機３００側の中心ラインまでのバックセット距離（ｄ１２）が短い場合には前記装着部２２から分離されるように構成されている。
【００２８】
この場合、前記装着部２２には一面に対称となる一対のガイド突起２２ａが形成され、前記ケース２３には前記ガイド突起２２ａが安着されるガイド溝２３ａが形成されるようにし、前記ケース２３の一側端には対称となる一対の係止突起２３ｂを形成し、前記センサ部２１には前記係止突起２３ｂが係止される係止溝２１ａを形成することで、前記ケース２３を前記装着部２２に堅固に結合固定することができるように構成される。
【００２９】
前記接着部２４は、前記センサ部２１の一面に形成され、前記センサ部２１がケース２３または前記装着部２２の折り畳み回転から前記第１部材１０に近接設置された場合、その近接した設置状態を固定するためであって、前記接着部２４はドア１００の一面に接着されるように構成される。
【００３０】
ここで、前記センサ部２１には、電気的に接続された接続端子(図示せず)を形成し、前記設置溝３０１の内部には、前記接続端子と接続されるコネクタ(図示せず)が形成されている。
【００３１】
すなわち、図示しないが、コネクタは、デジタルドアロックの制御ボードに用意される制御部(図示せず)と電気的に接続されるように、前記制御ボードに形成されるもので、その位置は前記室内機３００の設置溝３０１内に位置し、前記設置溝３０１にセンサ部材２０の装着部２２が引入されるとき、センサ部２１に形成された接続端子が接続されるようにしたものである。
【００３２】
したがって、前記センサ部２１と第１部材１０との近接距離に応じて前記センサ部２１は、前記ドア１００の閉鎖状態または開放状態を検知する信号を出力することになり、前記出力される検知信号は、前記接続されるコネクタと接続端子を介してデジタルドアロックの制御部に伝達されて、制御部はドア１００が閉鎖状態のとき、箱錠の閉鎖動作が自動的に行われるように、デジタルドアロックを制御し、ドア１００が開放状態のときには警報音出力部(図示せず) からドア開放を知らせる警報音を出力する制御動作を行うようにすることができる。
【発明の実施のための形態】
【００３３】
本発明は、添付した図４乃至図８のように、優先的に、ドア枠２００または壁面に設置されたマグネットの第１部材１０の設置位置によってドア１００の一面に室内機３００を設置した時、前記ドア１００の側面から前記室内機３００側中心までのバックセット距離（ｄ１１）が、図７のように長く離隔している場合は、センサ部材２０に含まれる装着部２２にケース２３を結合させる。
【００３４】
すなわち、前記装着部２２にケース２３を結合させた場合、前記装着部２２の一面に形成されるガイド突起２２ａをケース２３に形成されるガイド溝２３ａに挟んで結合されるようにし、その結合の終了時点で前記ケース２３の一側端に形成される係止突起２３ｂをセンサ部２１に形成される係止溝２１ａに係止させ、前記装着部２２に前記ケース２３の結合を完了させる。
【００３５】
次に、前記ケース２３が結合された装着部２２を室内機３００の設置溝３０１に引入させて、前記センサ部２１がドア１００の側面に近くなるようにした状態で、前記センサ部２１の一面に形成される接着部２４を介して前記センサ部２１をドア１００の一面に接着固定させる。
【００３６】
それにより、前記センサ部２１は、ドア枠２００または壁面に設置したマグネットの第１部材１０と近接するようにその設置が行われると共に、前記センサ部２１はドア１００の開放または閉鎖状態を検知することができる。
【００３７】
一方、前記ドア１００の側面から前記室内機３００側の中心までのバックセット距離（ｄ１２）が図８のように短くなると、センサ部材２０に含まれる装着部２２からケース２３を分離させる。
【００３８】
次に、前記装着部２２を折畳部ｈ１を中心に折り畳み回転させた状態で、前記装着部２２を室内機３００の設置溝３０１に引入させると、前記センサ部２１の一面に形成された接着部２４が室内機３００の一面に接着固定され、前記センサ部２１は、ドア枠２００または壁面に設置されたマグネットの第１部材１０と近接するようにその設置が行われると共に、前記センサ部２１はドア１００の開放または閉鎖状態を的確に検知することができる。
【００３９】
以下、添付図面を参照しながら、本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【００４０】
本発明は、ドアの側面から室内機側の中心ラインまで互いに異なるバックセット（Ｂａｃｋ  Ｓｅｔ）距離が存在しても、そのバックセット距離と関係なく、センサがドアの開放または閉鎖状態を問題なく検知し、バックセット距離に応じてセンサを互いに異なる大きさに製造しなければならないとい経済的負担を軽減するドアロック分野に容易に適用可能である。
【図１】
0006580345.tif 000002
【図２】
0006580345.tif 000003
【図３】
0006580345.tif 000004
【図４】
0006580345.tif 000005
【図５】
0006580345.tif 000006
【図６】
0006580345.tif 000007
【図７】
0006580345.tif 000008
【図８】
0006580345.tif 000009